(57)【要約】【課題】  貝類の養殖室となるポケットを多段に設けた連段養殖かごのポケットの開口部を容易に塞ぎ、また容易に開口させ易い養殖かごを提供する。【解決手段】    網地を重ねて上方の開口部をのぞく三方を結縛して養殖室となるポケット１０を縦方向に多数形成した連段養殖かごであって、ポケット１０の開口部７ａを封じるポケット押え蓋１１を各桟３に開閉自在に取り付けた。また、ポケット押さえ蓋１１はコ字状の蓋枠体１２に網地１３を張設したものであり、蓋枠体１２はビニール被覆された金属枠体で構成され桟３に回動自在に取り付けられる。【選択図】  図１
2011055754.tif 000002
【特許請求の範囲】
【請求項１】
網地を重ねて上方の開口部を除く三方を結縛してポケット状の養殖室を縦方向に多段に形成した連段養殖かごであって、該ポケットの開口部を封止するポケット押さえ蓋を各桟に開閉自在に取り付けたことを特徴とする連段養殖かご。
【請求項２】
前記ポケット押え蓋は、コ字状の蓋枠体に網地が張設されていることを特徴とする請求項１に記載の連段養殖かご。
【請求項３】
前記ポケット押さえ蓋を構成する蓋枠体は、桟に回動自在に取り付けられるビニール被覆された金属枠体で構成される請求項１に記載の連段養殖かご。
【発明の詳細な説明】
【技術分野】
【０００１】
本発明は、帆立貝のような二枚貝の養殖に用いるポケット部を平面状に連接した養殖かごに関するものである。
【背景技術】
【０００２】
一般に、帆立貝等の貝類の養殖において、育成の最終段階で網地を重ねてポケット状に形成した養殖室を複数段に形成した連段養殖かごが使用されている。この種の養殖かごは図５に示すように連段養殖かご２０の長さ分を有する弛みのない背網地２１に、１段ごとの幅に切断した弛みのある前網地２２を重合し、両網地の下縁を横方向に封止糸２３にて互いに絡め、且つ両網地の左右両側は側紐２４に締縛して上縁が開口２５するポケット状の養殖室２６を形成している。
【０００３】
このような構成を備えた先行技術例として、例えば、特開昭４８−８０３９２号公報に示される平面かごが代表的なものである。しかし、この従来例のかごではポケット部の開口２５を、貝類が逃げ出ないよう閉止するため合成樹脂製の口縫い糸２７を開口部２５ａの横方向に、背網地２１と前網地２２の網目を掬いながら通して両端の側紐２４に締縛している。
【０００４】
この口縫い糸２７を連段養殖かご全体に通すことは大変な手間と労力を要し、外注すると経費も馬鹿にならないのが問題である。また、貝類をポケットから出す際にもこの口縫い糸２７を個々に外す作業が強いられ、海の船上での作業となることから漁業者にとって能率の悪いものであった。
【０００５】
また、公開実用昭和４８−７９７９４号に提案されるポケット部をフックにより定着するものもあるが、前記の先行例と同様に個々のポケットごとに定着作業を強いられ、作業の能率は多少は改善されるものの手間のかかる作業から解放されるものではない。
【先行技術文献】
【特許文献】
【０００６】
【特許文献１】特開昭４８−８０３９２号公報
【特許文献２】公開実用昭和４８−７９７９４号明細書
【発明の概要】
【発明が解決しようとする課題】
【０００７】
本発明はこのような課題を解決するものであり、連段養殖かごの養殖室を形成する各ポケットの開口部を簡単な手段で閉じ、また解放すことが出来る養殖かごを提供することを目的とする。
【課題を解決するための手段】
【０００８】
上記目的を達成するため、請求項１記載の養殖かごは、網地を重ねて上方の開口部を除く三方を結縛して養殖室となるポケットを縦方向に多段に形成した連段養殖かごであって、該ポケットの開口部を封止するポケット押さえ蓋を桟に開閉自在に取り付けた。
【０００９】
請求項２記載の連段養殖かごは請求項１に記載の連段養殖かごであって、ポケット押え蓋はコ字状の蓋枠体に網地を張設して構成されている。
【００１０】
請求項３記載の連段養殖かごは請求項１に記載の連段養殖かごであって、ポケット押え蓋を構成する蓋枠体は、桟に回動自在に取り付けられるビニール被覆された金属枠体で構成されている。
【発明の効果】
【００１１】
本発明によれば、ポケットの開口部を押え込むポケット押え蓋を桟に開閉自在に取り付けたため、連段養殖かごを天地を逆にして吊下げるだけでポケット押え蓋が開らいて開口部が解放され、ポケット中の貝類を一気に排出することができる。従来のような、ポケットの開口部を塞ぐための口縫い糸の面倒な挿通や抜き取りが不要となり、作業能率が大幅に向上する。
【図面の簡単な説明】
【００１２】
【図１】本発明の実施例を示す連段養殖かごの要部の斜視図である。
【図２】同、側面から見た概略図である。
【図３】同、ポケット部の説明図である。
【図４】同、ポケット押え蓋の蓋枠体の正面図である。
【図５】ポケットを備えた従来の連段養殖かごの斜視図である。
【発明を実施するための形態】
【００１３】
以下、本発明を図示する実施形態により具体的に説明する。図１は、本発明の一実施形態の要部の構成を示しており、連段養殖かご１は、上下端の吊下げ用桟２と所定間隔を置いて横に張り渡される多数の桟３を絡めるように基網となる背網地４が連段養殖かご１の全長に亘って張設され、左右端は側紐５に結縛されて固定されている。吊下げ用桟２を含め多数の桟３はビニール被覆された金属製杆
で構成され、側紐５は合成樹脂製の紐で構成されている。
【００１４】
図３に示すように、各桟３により区画される部分に同幅の前網地６が背網地４と重合され、上縁７を開口部７ａとし左右端は前記した側紐５に結縛され、下縁８は両網地４、６を絡めるように合成樹脂製の封止糸９が横方向に挿通されポケット底部を形成している。かくして、両網地４、６の重合部分が帆立貝の養殖室となるポケット１０を構成している。ポケット１０の開口部７ａは桟３に沿って横方向に開口しており、貝類の投入口となり、また排出口ともなる。
【００１５】
１１はポケット押さえ蓋で、ポケット１０の開口部７ａを押え込むように蓋枠体１２が桟３に開閉自在に取り付けられている。また、蓋枠体１２はコ字状のビニール被覆された金属杆からなり、網地１３が該蓋枠体１２の全面に張設され、両基端１２ａは桟３に回動可能に取り付けられている。このポケット押え蓋１１は連段養殖かご１の全長に亘って各桟ごとに取り付けられる。
【００１６】
また、ポケット押さえ蓋１１はポケット１０の開口部７ａ全域を押え込む必要はなく、ポケット中の帆立貝が逃げ出さない程度の横幅で構成される。即ち、ポケット押さえ蓋１１は金属杆の蓋枠体１２より構成されることで蓋枠体１２自体の重さにより開口部は閉止され、しかも海中にあってはポケット押さえ蓋１１自体に水圧が掛りポケット１０の開口部７ａに対する押圧を強固にしている。
【００１７】
更に、連段養殖かご１には上下端の吊下げ用桟２にそれぞれ吊下げ用ロープ１４、１５が結縛されており、下端の吊下げロープ１５には錘（図示略）が付けられ連段養殖かご１は筏などに吊下げられて海中に没入される。
【００１８】
次に本発明の作用を説明すると、連段養殖かご１のポケットの開口部７ａを開き養殖すべき帆立貝Ａを所要数投入する。順次各段ごとのポケットに収容して行き、帆立貝は互いに重ならないように配置して収容されるのが望ましい。このとき、ポケットの開口部を押え込むポケット押さえ蓋１１を桟３を支軸として回動させ、開口部を露呈させておく。
【００１９】
次いで、帆立貝を収容したポケット１０の開口部７ａを封じるに、ポケット押さえ蓋１１を下向きに回動させるとポケット１０を押さえ込むようにポケット押さえ蓋１１が閉止し、開口部７ａは口縫い糸を必要とせずに封じられる。
【００２０】
ポケット１０に帆立貝を収容した連段養殖かご１は海中に投入され、養殖のため所要期間筏等に吊下げて使用される。帆立貝を取出す場合、連段養殖かご１は海上に吊り上げられ、船上にてクレーン等で天地を逆に吊下げることで、ポケット１０の開口部７ａを押え込んでいたポケット押え蓋１１が一斉に開き、各段のポケット１０は押えがなくなったことで一斉に開口し、帆立貝がその自重で一気に排出される。即ち、ポケット押え蓋１１は連段養殖かご１の各桟３に開閉自在に取り付けられているため、底を上にして吊下げるだけで一斉に蓋が開き、帆立貝Ａの取出し作業が迅速となる。
【符号の説明】
【００２１】
１    連段養殖かご
２    吊下げ用桟
３    桟
４    背網地
５    側紐
６    前網地
７    上縁
７ａ  開口部
８    下縁
９    封止糸
１０    ポケット
１１    ポケット押え蓋
１２    蓋枠体
１３    網地
Ａ    帆立貝
【図１】
2011055754.tif 000003
【図２】
2011055754.tif 000004
【図３】
2011055754.tif 000005
【図４】
2011055754.tif 000006
【図５】
2011055754.tif 000007